(57)【要約】【課題】従来のローソクに比べて、風に当たっても消えにくく、安定して燃焼するローソクおよび簡単に製造することができるローソクおよびその製造方法を提供する【解決手段】燭心２の周りをロー材３で固めたローソク本体１の周面に上端をロー材３の上面に揃えて巻かれた和紙４の表面に、ローソク本体１のロー材３と同一材質のロー材５が被覆されているローソク。【選択図】　　図１
2004043604.tif 000002
【特許請求の範囲】
【請求項１】
燭心の周りをロー材で固めたローソク本体の周面に上端を前記ロー材の上面に揃えて巻かれた和紙の表面に、ローソク本体のロー材と同一材質のロー材が被覆されていることを特徴とするローソク。
【請求項２】
燭心の周りをロー材で固めたローソク本体の周面に上端を前記ロー材の上面に揃えて巻かれた和紙の表面に、ローソク本体のロー材と同一材質のロー材が被覆され、さらに前記被覆されたロー材の周囲に巻かれた和紙の表面にローソク本体と同一材質のロー材が被覆されいることを特徴とするローソク。
【請求項３】
和紙を巻いて和紙製の円筒を準備し、燭心の一方をロー材を流し込む容器の底の孔から外側に引き出すとともに、他方を和紙製の円筒内に通し、円筒を容器内に入れて立て、燭心を張り、円筒内および円筒と容器の隙間に溶けたロー材を流し込み、ロー材が凝固した後に綿糸の上下を切断し、容器から形成されたローソクを取り出すことを特徴とするローソクの製造方法。
【請求項４】
燭心の周りをロー材で固めたローソク本体に和紙を巻き、和紙を巻いたローソク本体を容器内に満たされた溶けたロー材の中に浸漬した後、引き上げて和紙の表面にロー材を被覆することを特徴とするローソクの製造方法。
【発明の詳細な説明】
【０００１】
【発明の属する技術分野】
本発明は、炎が大きくかつ勢いのある、多少の風では消えにくいローソクおよびその製造方法に関する。
【０００２】
【従来の技術】
ローソクは、神事、仏事、パーティーなどでその場の雰囲気を盛り上げるために利用されている。
【０００３】
ローソクは、一部の特殊な形状のものをのぞけば、燭心の周りをパラフィン、ステアリンなどのロー材でかためた棒状のものが一般的である。ローソクは、炎に勢いがないため、極端に風に弱く、特に屋外の墓参の場合には、屋内と違って風に当たるとすぐに消えてしまうという欠点を有している。
【０００４】
そこで、風で消えやすいという欠点をなくすため、実開昭６３−４２１４２号公報には、図５に示すように、燭心１１を埋設した棒状のローソクをロー材を被覆含浸させた和紙層１３で内部ローソク１０のロー材１２の上面よりわずかに突出する位置から外周面に亘って包被してなり、和紙層１３の被覆含浸ロー材をローソクのロー材より融点が高く熱溶解度が遅いロー材とすることにより、墓参、花火の火付などの比較的強風を受けやすい野外で用いても消えにくいというローソクが記載されている。また、和紙層１３は、和紙をロー材の溶解液に浸液し、これを内部ローソクの外周面に巻いて乾燥させて形成する。
【０００５】
【発明が解決しようとする課題】
しかしながら、実開昭６３−４２１４２号公報に記載されたローソクは、和紙層で内部ローソクのロー材上面より突出する位置から外周面に亘って包被する必要があるので、ローソクの構造が複雑となるとともに、和紙層の被覆含浸ロー材にローソク本体のロー材より融点が高く熱溶解度が遅いロー材を使用するため、種類の異なるロー材を用意しなくてはならず、さらには和紙層は和紙をロー材の溶解液に浸液した後に、内部ローソクの外周面に巻かなくてはならないので、その製造工程が煩雑となるという欠点がある。
【０００６】
そこで、本発明は、従来のローソクに比べて、風に当たっても消えにくく、安定して燃焼するローソクおよび簡単に製造することができるローソクおよびそのの製造方法を提供するものである。
【０００７】
【課題を解決するための手段】
本発明のローソクは、燭心の周りをロー材で固めたローソク本体の周面に上端を前記ロー材の上面に揃えて巻かれた和紙の表面に、ローソク本体のロー材と同一材質のロー材が被覆されていることを特徴とする。また、さらに前記被覆されたロー材の周囲に巻かれた和紙の表面にローソク本体と同一材質のロー材が被覆されてもよい。
【０００８】
また、本発明のローソク製造方法は、和紙を巻いて和紙製の円筒を準備し、燭心の一方をロー材を流し込む容器の底の孔から外側に引き出すとともに、他方を和紙製の円筒内に通し、円筒を容器内に入れて立て、燭心を張り、円筒内および円筒と容器の隙間に溶けたロー材を流し込み、ロー材が凝固した後に綿糸の上下を切断し、容器から形成されたローソクを取り出すことを特徴とする。
【０００９】
さらに、本発明のローソク製造方法は、燭心の周りをロー材で固めたローソク本体に和紙を巻き、和紙を巻いたローソク本体を容器内に満たされた溶けたロー材の中に浸漬した後、引き上げて和紙の表面にロー材を被覆することを特徴とする。
【００１０】
【発明の実施の形態】
図１は本発明によるローソクを示し、（ａ）は全体の縦断面を示す概略図、（ｂ）は横断面の概略図である。
【００１１】
ローソク本体１には、通常のローソクと同様に綿糸、灯心などの燭心２の周りをロー材３でかためて棒状に形成されている。ロー材３には、通常のローソクに使用されているパラフィン、ステアリンなどのロー材を使用する。
【００１２】
ローソク本体１の外周面には和紙４が一巻きで巻かれている。なお、和紙の巻き回数は、炎を大きく、勢いを増すために、２巻き以上にすることができる。和紙の上端はロー材３の上面と揃えて同レベルにする。和紙４としては、ロー材５が浸透しやすい和紙を使用し、例えば、こうぞうなどの原料を用いて漉いた和紙が適している。
【００１３】
ローソク本体１の周りに巻いた和紙４の外周には、ローソク本体１に使用しているロー材３と同一材質のロー材５を被覆する。ローソク本体１のロー材３と同一材質のロー材５を使用することにより、なじみがよく、和紙に異質のロー材を使用した従来のローソクに比べて燃焼が安定し、また、同一材質のロー材を使用するので後述するとおりローソクの製造が簡単になる。
【００１４】
図２はローソクの燃焼状態を示し、（ａ）は本発明のローソクの燃焼状態、（ｂ）は従来のローソクの燃焼状態を示す図である。本発明のローソクは、芯材２の点火により燃焼し、その熱により和紙４に被覆されているロー材５が溶け、和紙４も燭心２と同様に燃焼し、炎が大きくなるとともに、炎の勢いが芯材２のみの燃焼に比べて強くなり、少々の風では消えなくなる。また、神事、仏事にはローソクは必要不可欠なものであるが、本発明のローソクは、例えば、炎の勢いが求められる護摩炊きの行事に使用すると、念じる灯も明るく激しく演出させることができる。
【００１５】
なお、和紙を図１（ｃ）に示すように、和紙の表面に被覆されたロー材５の周面にさらに和紙６を巻き、その表面にローソク本体と同一材質のロー材７を被覆してもよい。２以上の複数の和紙４，６を間隔を置いて配置することにより、大きく、勢いのある、風に強い炎を形成することができる。
【００１６】
次に、本発明のローソクの製造方法について説明する。
【００１７】
図３は本発明のローソク製造方法の一実施例を示す図である。本実施例の製造方法により、本発明のローソクは、ローソク本体を別途用意することなく、また和紙にあらかじめロー材を含浸させることなく製造することができる。その製造の手順は次のとおりである。
【００１８】
（１）和紙を巻いて和紙製の円筒４ａを準備する。
【００１９】
（２）燭心２となる綿糸の一方をロー材を流し込む鋳型８の底の孔から外側に引き出すとともに、他方を和紙製の円筒内に通す。
【００２０】
（３）円筒４ａを鋳型内に入れて立て、燭心２となる綿糸を張る。円筒４ａと鋳型８の隙間は、被覆するロー材５の厚みにより調整する。
【００２１】
（４）円筒内および円筒４ａと鋳型８の隙間に溶けたロー材５を流し込む。
【００２２】
（５）冷却によりロー材３，５が凝固した後、綿糸の上下を切断し、鋳型８から形成されたローソクを取り出す。
【００２３】
図４は本発明のローソク製造方法の別実施例を示す図である。本実施例の製造方法により、既存のローソク本体を用いて本発明のローソクを製造することができる。その製造の手順は次のとおりである。
【００２４】
（１）別途用意されたローソク本体１に和紙４を巻き、端部をのり付けする。
【００２５】
（２）容器９に満たされた溶けたロー材の中に和紙４を巻いたローソク本体１を浸漬し、その後、静かに引き上げて和紙４の表面にロー材５を被覆する。
【００２６】
【発明の効果】
本発明のローソクは、ローソク本体の周囲に巻いた和紙の表面にロー材が被覆されているので、燭心を取り囲んで和紙も燃焼するため、炎の勢いが強く、多少の風では消えることがない。
【００２７】
本発明のローソク製造方法は、筒状の和紙にロー材を流し込んで製造できるので、別途ローソク本体を用意したり、ロー材を含浸させた和紙を用意する必要がないため、簡単に本発明のローソクを製造することができる。
【００２８】
また、本発明のローソク製造方法では、既存のローソクに和紙を巻き、溶けたロー材に浸漬するだけで、簡単に風に消えにくいローソクを製造することができる。
【図面の簡単な説明】
【図１】本発明によるローソクを示し、（ａ）は全体の縦断面を示す概略図、（ｂ）は横断面の概略図である。
【図２】ローソクの燃焼状態を示し、（ａ）は本発明のローソクの燃焼状態、（ｂ）は従来のローソクの燃焼状態を示す図である。
【図３】本発明のローソク製造方法の一実施例を示す図である。
【図４】本発明のローソク製造方法の別実施例を示す図である。
【図５】従来のローソクの縦断面図である。
【符号の説明】
１：ローソク本体　　　２：燭心
３：ロー材　　　　　　４：和紙
４ａ：和紙製の円筒　　５：ロー材
６：和紙　　　　　　　７：ロー材
８：鋳型　　　　　　　９：容器
１０：内部ローソク　　１１：燭心
１２：ロー材　　　　　１３：和紙層
【図１】
2004043604.tif 000003
【図２】
2004043604.tif 000004
【図３】
2004043604.tif 000005
【図４】
2004043604.tif 000006
【図５】
2004043604.tif 000007